(57)【要約】【課題】  蔓性植物が壁面に沿って効率よく成長するように補助する。【解決手段】  構造物１の壁面１ｃにおいて、垂下する蔓性植物４を空間内に囲って壁面１ｃへの付着を防ぐと共に、風等による揺動範囲を規制する第１補助資材５を備えている。第１補助資材５は、構造物１の壁面１ｃに沿って設けられた略かご型形状をなし、壁面側に位置する第１ネット５ａと、空間側に位置する第２ネット５ｂとが空間を介して連結されている。第１補助資材５は、吊り部材７によって構造物１の屋上１ａから吊り下げられている。【選択図】      図１
2006204233.tif 000002
【特許請求の範囲】
【請求項１】
構造物の上部より蔓性植物を下垂させて壁面を緑化させるための下垂型壁面緑化補助資材であって、
垂下する蔓性植物を空間内に囲って壁面への付着を防ぐと共に、風等による揺動範囲を規制する枠部材を備えていることを特徴とする下垂型壁面緑化補助資材。
【請求項２】
前記枠部材は、前記構造物の壁面に沿って設けられた略かご型形状をなし、壁面側に位置する第１ネットと、空間側に位置する第２ネットとが前記空間を介して連結されていることを特徴とする請求項１に記載の下垂型壁面緑化補助資材。
【請求項３】
前記枠部材は、前記第２ネットが前記第１ネットより大きな網目を形成していることを特徴とする請求項２に記載の下垂型壁面緑化補助資材。
【請求項４】
前記枠部材は、前記蔓性植物の下垂方向に所定間隔で配列されていて、前記空間を形成する複数の円形又はらせん状をなす規制部を設けた請求項１に記載の下垂型壁面緑化補助資材。
【請求項５】
前記枠部材は、前記蔓性植物の下垂方向に所定間隔で配列されていて、前記空間を形成する複数のＣ型形状をなす規制部を設け、前記Ｃ型形状の切り欠き部側で壁面と所定の隙間を形成した請求項１に記載の下垂型壁面緑化補助資材。
【発明の詳細な説明】
【技術分野】
【０００１】
本発明は、構造物などの壁面における下垂型壁面緑化補助資材に関する。
【背景技術】
【０００２】
従来、都市部におけるヒートアイランド現象の緩和や大気の浄化、アメニティ空間の創出などを目的に、建物の屋上や壁面、ベランダなどの緑化が試みられている。
建物の壁面緑化では、コケ等からなる植生マットを壁面に設置する方法と、蔓性植物を壁面に登坂させる方法や、屋上やベランダなどから下垂させる方法がある。
蔓性植物を下垂させる方法は、例えば以下に示す特許文献に提案されている。
特許文献１では、壁面全体で上下左右方向に線状部材を形成し、この任意の位置にプランター等を設置して、各プランターから下方の線状部材に蔓性植物を沿わせて緑化するものである。そして、これらの各プランターには灌水装置が設置されている。
また、特許文献２は、建物壁面の全体に金網が設けられ、この金網上に蔓性植物が植え込まれた横方向に形成された植物ユニットを任意の箇所に設置して下垂させたものである。
【特許文献１】特開２００２−２７２２７４号公報
【特許文献２】特開２０００−３０００７９号公報
【発明の開示】
【発明が解決しようとする課題】
【０００３】
しかしながら、上記特許文献１で提案されている蔓性植物の下垂方法では、緑化対象となる壁面全体に線状部材を設置し、任意の箇所にプランターを設置するという多大な構成であることから、設置作業が大掛かりとなるうえ、資材コストが増加するという問題がある。そして、蔓性植物はこの線状部材に沿って下垂するが、風の強さによっては舞い上げられて成長を妨げられる可能性がある。
また、特許文献２で提案されている植物ユニットによる壁面緑化方法では、金網上に設置可能な特殊な植物ユニットを使用するため、コストがかかる。そして、壁面全体に金網を設置して植物ユニットを設ける構成であるため、設置作業が大掛かりとなり施工性が悪いという問題がある。また、下垂した蔓性植物は、壁面から離れているため、風などの影響を受けて舞い上げられたり、揺れて折れるなどの損傷があるという欠点がある。
【０００４】
本発明は、上述する問題点に鑑みてなされたもので、蔓性植物が壁面に沿って効率よく成長するように補助する下垂型壁面緑化補助資材を提供することを目的とする。
また、他の目的としては、簡易な構成により設置の施工性を向上させるようにした。
【課題を解決するための手段】
【０００５】
上記目的を達成するため、本発明に係る下垂型壁面緑化補助資材では、構造物の上部より蔓性植物を下垂させて壁面を緑化させるための下垂型壁面緑化補助資材であって、垂下する蔓性植物を空間内に囲って壁面への付着を防ぐと共に、風等による揺動範囲を規制する枠部材を備えていることを特徴としている。
本発明では、蔓性植物を枠部材の上方から枠内に誘導して下垂させることにより、構造物の壁面を緑化することができる。そして、枠部材の枠内を通過して下垂する蔓性植物は、枠部材によって囲われているため、風の舞い上がりや折れるなどの損傷を防止できる。また、構造物の壁面側に枠部材が設けられることで、蔓性植物が壁面に付着しにくくなり、蔓性植物が効率よく成長することができる。
さらに、この枠部材は、例えば線状部材などによって囲われた簡易な構成であるうえ、蔓性植物の下垂を補助するものであることから、壁面の部分的な範囲に設置されていればよい。このようなことから、施工性が向上され設置が容易となり、資材コストの低減を図ることができる。
【０００６】
また、本発明に係る下垂型壁面緑化補助資材では、枠部材は、構造物の壁面に沿って設けられた略かご型形状をなし、壁面側に位置する第１ネットと、空間側に位置する第２ネットとが空間を介して連結されていることが好ましい。
本発明では、略かご型形状をなす枠部材の枠内に誘導された蔓性植物は、空間を形成する枠部材によって囲われているため、風の影響による揺れを防止できるとともに、外方から蔓性植物を見ることができる。また、構造物の壁面側に第１ネットが設けられていることによって、蔓性植物が壁面に付着することを抑制できる。
【０００７】
また、本発明に係る下垂型壁面緑化補助資材では、枠部材は、第２ネットが第１ネットより大きな網目を形成していることが好ましい。
本発明では、構造物の壁面側に位置する第１ネットの網目を小さくすることで、蔓性植物が壁面に付着することを防止できる。そして、空間側に位置する第２ネットは、蔓性植物が風等により揺動する範囲を規制できればよいため、第１ネットと比較して網目を大きくすることができ、部材のコストダウンを図ることができる。
【０００８】
また、本発明に係る下垂型壁面緑化補助資材では、枠部材は、蔓性植物の下垂方向に所定間隔で配列されていて空間を形成する複数の円形又はらせん状をなす規制部を設けていることが好ましい。
本発明では、蔓性植物を、複数の円形又はらせん形状によって形成された規制部内に誘導することができる。そして、蔓性植物がこの規制部によって囲われているため、風の影響による蔓性植物の揺動が規制されて舞い上がりを防止でき、また蔓性植物の壁面への付着を抑制できる。
【０００９】
また、本発明に係る下垂型壁面緑化補助資材では、枠部材は、蔓性植物の下垂方向に所定間隔で配列されていて、空間を形成する複数のＣ型形状をなす規制部を設け、Ｃ型形状の切り欠き部側で壁面と所定の隙間を形成していることが好ましい。
本発明では、蔓性植物を、複数のＣ型形状をなす規制部内に誘導することができる。そして、蔓性植物はＣ型形状の規制部の上方又はＣ型の切り欠き部から規制部内に誘導されて囲われているため、風の影響による蔓性植物の揺動が規制されて舞い上がりを防止でき、また蔓性植物の壁面への付着を抑制できる。
【発明の効果】
【００１０】
本発明の下垂型壁面緑化補助資材によれば、蔓性植物を枠部材の上方から枠内に誘導して下垂させることにより、構造物の壁面を緑化することができる。そして、枠部材の枠内を通過して下垂している蔓性植物は、枠部材によって囲われているため、風の舞い上がりや折れるなどの損傷を防止できる。また、構造物の壁面側に枠部材が設けられることで、蔓性植物が壁面に付着しにくくなり、蔓性植物が効率よく成長することができる。
このように、枠部材を使用して構造物の壁面を蔓性植物で覆うことにより、緑化効果を奏し、都市のヒートアイランド現象の抑制に寄与することができる。
【発明を実施するための最良の形態】
【００１１】
以下、本発明の第１の実施の形態について、図１及び図２に基づいて説明する。
図１は第１の実施の形態による下垂型壁面緑化補助資材の設置状態を示す斜視図、図２は図１に示す下垂型壁面緑化補助資材の設置状態を側面から見た図である。
図１に示すように、本第１の実施の形態では、構造物１の屋上１ａの周囲に形成されるパラペット１ｂに沿ってプランター２が設けられ、プランター２の内部に土壌などの緑化基材３が収容されて蔓性植物４が植栽されている。
そして、プランター２が設置されている直近となる構造物１の壁面１ｃには、外形が直方体の略かご型形状をなす第１補助資材５（枠部材）が設けられている。
【００１２】
図２に示すように、第１補助資材５は、壁面１ｃに沿って設けられ、上端５ｄがプランター２の上端２ａとほぼ同じ高さとなる位置となるように屋上１ａから吊り下げられている。
ここで、プランター２の設置位置は、とくに限定されるものではないが、上述したように蔓性植物４が第１補助資材５の側に導かれる構成となることから、できるだけプランター２と第１補助資材５との距離は近い方がよい。
【００１３】
次に、図２に示すように、屋上１ａのパラペット１ｂの上面に嵌合し、断面形状が凹形をなす保護部材６が設けられている。この保護部材６は、構造物１の角部で蔓性植物４が擦れて損傷することを防止する機能を果たす。
また、一端７ａが屋上１ａまたはパラペット１ｂに固定され、他端７ｂが第１補助資材５の上端部５ｄに固定されているワイヤなどからなる吊り部材７が設けられ、これにより第１補助資材５が屋上１ａより吊り下げられて壁面１ｃに設置されている。
なお、この保護部材６の壁面側６ａに、第１補助資材５の上端部５ｄを固着させることにより、第１補助資材５を構造物１に安定させて固定することができる。
【００１４】
図１及び図２に示すように、第１補助資材５は、壁面側に位置する第１ネット５ａと、第１ネット５ａより空間側に間隙をもって備えられた第２ネット５ｂと、第１ネット５ａと第２ネット５ｂとの間を連結する接続部材５ｃとから構成されている。
第１ネット５ａは、構造物１の壁面１ｃに蔓性植物４が付着することを防止するとともに、風圧の影響を小さくして風が通り抜けできるように、例えば１〜５ｍｍ程度の小さい網目が形成されている。これにより、第１ネット５ａは、風圧がかかることがなく、第１補助資材５の揺れを防止することができる。
【００１５】
一方、第２ネット５ｂは、風の影響による蔓性植物４の揺動範囲を規制するために、また外部から蔓性植物４の葉が見えるように、例えば５〜２０ｃｍ程度の大きい網目が形成されている。
このように、第２ネット５ｂは、第１ネット５ａと比較して網目を大きくすることができることから、資材コストの低減を図ることができる。
【００１６】
そして、図１及び図２に示すように、第１補助資材５の第１ネット５ａと第２ネット５ｂとの隙間Ｌ１（接続部材５ｃの長さ）は、蔓性植物４が枠内を下方に向かって成長することが可能となる適当な隙間Ｌ１とすればよく、本第１の実施の形態では３〜１５ｃｍとしている。
なお、第１補助資材５の材質については、金網のような外力による変形がないもの、又は繊維による網のような変形するものでもよく、軽量であれば何れの材料であってもよい。
【００１７】
上述したような第１補助資材５を設けることにより、プランター２に植栽された蔓性植物４は、プランター２からパラペット１ｂを介して、第１ネット５ａと第２ネット５ｂとの間の枠内に誘導され、構造物１の壁面１ｃに沿って下垂しながら生育し、壁面１ｃを緑化することができる。
なお、第１補助資材５の枠内に導かれた蔓性植物４の枝葉を、腐食性の針金やテープなどによって第１補助資材５の任意の箇所に結束させてもよい。
【００１８】
上述した本第１の実施の形態による下垂型壁面緑化補助資材では、蔓性植物４は第１補助資材５によって囲われて揺動範囲が規制されている。これにより、蔓性植物４は、風による舞い上がりや、折れるなどの損傷を防止でき、さらに構造物１の壁面１ｃへの付着を防止することができる。この結果、蔓性植物４は、上方から下方に向けて効率よく成長することができる。
また、この第１補助資材５は、蔓性植物４が自重によって垂れ下がって成長するように誘導するための補助資材であるため、垂れ下がりが開始される壁面１ｃの上方の部分的な範囲に、第１補助資材５が設置されていればよい。例えば、第１の実施の形態では、第１補助資材５の上下方向の高さＬ２は、１〜２ｍ程度である。
このように、第１補助資材５が部分的で簡易な構成であるため、施工性がよく設置が容易であり、設置にかかる時間を短縮することができる。さらに、資材コストの低減を図ることができる。
このようなことから、第１補助資材５を使用して、構造物１の壁面１ｃを蔓性植物４で覆うことにより、緑化効果を奏し、都市のヒートアイランド現象の抑制に寄与することができる。
【００１９】
次に、第２の実施の形態について、図３に基づいて説明するが、上述の第１の実施の形態と同一又は同様な部材、部分には同一の符号を用いて説明を省略し、第１の実施の形態と異なる構成及び作用について説明する。
図３は、第２の実施の形態による下垂型壁面緑化補助資材の設置状態を示す斜視図である。
図３に示すように、本第２の実施の形態による下垂型壁面緑化補助資材は、蔓性植物４の下垂方向に所定間隔で円形部が配設されている第２補助資材８（枠部材）と、同じく壁面１ｃの高さ方向に連続したらせん形状をなす第３補助資材９（枠部材）とが設けられている。
【００２０】
図３に示すように、第２補助資材８は、構造物１の壁面１ｃに対して高さ方向に延在する支柱部材８ａと、支柱部材８ａに所定間隔をもって複数接続されたリング形状の円形部材８ｂ（規制部）とから構成されている。そして、この円形部材８ｂは、蔓性植物４が上方から円形部材８ｂ内の空間を通過して下垂可能なように支柱部材８ａに設けられている。
また、第３補助資材９は、らせん形状で形成された略円形部９ａ（規制部）内の空間を蔓性植物４が通過して下垂するように設けられている。
【００２１】
図３に示すように、第２補助資材８及び第３補助資材９の設置については、第１の実施の形態と同様で、吊り部材７によって第２補助資材８及び第３補助資材９の上部８ｃ、９ｂが固定されて、屋上１ａまたはパラペット１ｂから吊り下げられて構造物１の壁面１ｃの上方に設置される。
そして、屋上１ａのパラペット１ｂの上面に保護部材６を取り付けて、パラペット１ｂの角部に蔓性植物４が接触することを防止する。このとき、第２補助資材８及び第３補助資材９を保護部材６に固着して、壁面１ｃとの固定を安定させてもよい。
第２補助資材８及び第３補助資材９の上下方向の高さＬ２は、第１の実施の形態と同様に、１〜２ｍ程度とする。
なお、第２の実施の形態では、第２補助資材８のみ又は第３補助資材９のみの設置でもよく、又は第２及び第３補助資材８、９を適宜数ずつ組み合わせて設置してもよい。
【００２２】
このように、第２補助資材８に形成された円形部材８ｂや第３補助資材９に形成された略円形部９ａが規制部となり、枠内に誘導された蔓性植物４の揺動範囲を規制することができる。このため、風の影響などによる蔓性植物４の揺れを防ぐことができるとともに、構造物１の壁面１ｃへの付着を防止することができる。
これにより、第２及び第３補助資材８、９によって下垂を補助された蔓性植物４は、上方から下方に向けて効率よく成長することができる。
上述したように、第２の実施の形態による下垂型壁面緑化補助資材では、第１の実施の形態によるものと同様の効果を得ることができる。
【００２３】
次に、第３の実施の形態について、図４に基づいて説明するが、上述の第１及び第２の実施の形態と同一又は同様な部材、部分には同一の符号を用いて説明を省略し、第１及び第２の実施の形態と異なる構成及び作用について説明する。
図４は、第３の実施の形態による下垂型壁面緑化補助資材の設置状態を示す斜視図である。
図４に示すように、本第３の実施の形態による下垂型壁面緑化補助資材は、蔓性植物４の下垂方向に所定間隔でＣ型部材が配設されている第４補助資材１０（枠部材）と、同じく壁面１ｃの高さ方向に連続した波形状をなす第５補助資材１１（枠部材）とが設けられている。
【００２４】
図３に示すように、第４補助資材１０は、構造物１の壁面１ｃに対して高さ方向に延在する支柱部材１０ａと、支柱部材１０ａに所定間隔をもって複数接続されたＣ型形状をなすＣ型部材１０ｂ（規制部）とから構成されている。このＣ型部材１０ｂは、切り欠き部１０ｃを壁面１ｃ側に向け、切り欠き部１０ｃと壁面１ｃとの間に所定の隙間を持たせるように設置する。
蔓性植物４は、Ｃ型部材１０ｂの上方又は切り欠き部１０ｃからＣ型部材１０ｂの内側を下垂することができる。そして、Ｃ型部材１０ｂに切り欠き部１０ｃを設けたことで、蔓性植物４が上方から水平方向に並列されたＣ型部材１０ｂの中間１０ｄに下垂した場合に、風で左右に振れた際に壁面１ｃとＣ型部材１０ｂの切り欠き部１０ｃの隙間からＣ型部材１０ｂの内側に入り、風による蔓性植物４も揺動が規制されて舞い上がりを防止できる。
また、第５補助資材１１は、第４補助資材１０と同形状のＣ型部材１１ｂを備え、支持部材１１ａが上下方向に波形状となっていて凸部１１ｄでＣ型部材１１ｂ支え、凹部１１ｅで横方向に延在する部材１１ｆと接続されている。
なお、Ｃ型部材１０ｂ、１１ｂは、図４に示すような円形に限定されることはなく、ほかに楕円形又はひし形などに形成されて、一部切り欠き部１０ｃ、１１ｃを有した形状であってもよい。
【００２５】
図４に示すように、第４補助資材１０及び第５補助資材１１の設置については、第１及び第２の実施の形態と同様であり、詳細な説明は省略するが、吊り部材７によって第４補助資材１０及び第５補助資材１１の上部１０ｈ、１１ｇが固定されて、屋上１ａまたはパラペット１ｂから吊り下げられて構造物１の壁面１ｃの上方に設置される。
なお、図４に示す第３の実施の形態では、第４補助資材１０のみ又は第５補助資材１１のみの設置でもよく、又は第４及び第５補助資材１０、１１を適宜数ずつ組み合わせて設置しても構わない。
さらに、第４及び第５補助資材１０、１１と、上述した第２の実施の形態（図３参照）の第２、第３補助資材８、９とを適宜組み合わせて設置してもよい。
【００２６】
上述したように、第３の実施の形態による下垂型壁面緑化補助資材では、第１及び第２の実施の形態によるものと同様の効果を得ることができ、第４及び第５補助資材１０、１１に形成されたＣ型部材１０ｂ、１１ｂが規制部となり、枠内に誘導された蔓性植物４の揺動範囲を規制することができる。このため、風の影響などによる蔓性植物４の揺れを防ぐことができるとともに、構造物１の壁面１ｃへの付着を防止することができる。
【００２７】
以上、本発明による下垂型壁面緑化補助資材の実施の形態について説明したが、本発明は上記の実施形態に限定されるものではなく、その趣旨を逸脱しない範囲で適宜変更可能である。
例えば、第１乃至第３の実施の形態では、構造物１の屋上１ａまたはパラペット１ｂに第１乃至第５補助資材５、８、９、１０、１１を設置しているが、必ずしも屋上１ａに限定されることはない。例えば、建築物１のベランダや窓にプランター２を設置して、そこから蔓性植物４を下垂させてもよい。要は、構造物１の壁面１ｃにおいて、蔓性植物４を上部から下部に下垂させて壁面緑化する場合に適用されればよいのである。
また、第１乃至第３の実施の形態では、第１乃至第５補助資材５、８、９、１０、１１の壁面１ｃに対して上下方向の高さＬ２を１〜２ｍ程度としているが、これに限定されることはない。また、第１乃至第５補助資材５、８、９、１０、１１の数量、設置方法、設置範囲及び大きさについても、条件に合わせて設定すればよい。
【図面の簡単な説明】
【００２８】
【図１】本発明の第１の実施の形態による下垂型壁面緑化補助資材の設置状態を示す斜視図である。
【図２】図１に示す下垂型壁面緑化補助資材の設置状態を側面から見た図である。
【図３】本発明の第２の実施の形態による下垂型壁面緑化補助資材の設置状態を示す斜視図である。
【図４】本発明の第３の実施の形態による下垂型壁面緑化補助資材の設置状態を示す斜視図である。
【符号の説明】
【００２９】
１ａ  屋上
１ｃ  壁面
２  プランター
４  蔓性植物
５  第１補助資材（枠部材）
５ａ  第１ネット
５ｂ  第２ネット
７  吊り部材
８  第２補助資材（枠部材）
８ｂ  円形部材（規制部）
９  第３補助資材（枠部材）
９ａ  略円形部（規制部）
１０  第４補助資材（枠部材）
１０ｂ  Ｃ型部材（規制部）
１１  第５補助資材（枠部材）
１１ｂ  Ｃ型部材（規制部）
【図１】
2006204233.tif 000003
【図２】
2006204233.tif 000004
【図３】
2006204233.tif 000005
【図４】
2006204233.tif 000006